(57)【要約】  【課題】  ４駒漫画を表示するときに後の駒が先に表示されないようにする。  【解決手段】  ウェブサーバ５０、３０２はその記憶部５０ａ、３０２ａに文書ファイルＷＥＢおよび画像ファイルＩＭＧを記憶している。文書ファイルＷＥＢは画像ファイルＩＭＧをはめ込むタグを含む。画像ファイルＩＭＧは、単一のファイルで４駒漫画のすべての駒の統合した画像を含む。携帯電話機１０から文書ファイルの閲覧を要求するとウェブ５０は文書ファイルＷＥＢを携帯電話機１０に返し、携帯電話機１０の閲覧機能は文書をパーズして画像ファイルＩＭＧの取得要求をウェブサーバ５０に送り、ウェブサーバ５０は携帯電話機１０に画像ファイルＩＭＧを返す。画像ファイルＩＭＧは４駒分で単一であるので順序が保証され、「落ち」が先に表示されることがない。【選択図】  図４
2005301380.tif 000002
【特許請求の範囲】
【請求項１】
４駒漫画ストーリごとに当該４駒漫画ストーリを構成するすべての画像を一体にした画像ファイルを記憶する手段と、
上記画像ファイルのアドレスをアンカーとするマークアップ言語フォーマットの文書ファイルを記憶する手段と、
外部からの読み出し要求に応じて上記文書ファイルおよび上記画像ファイルを要求元に転送する手段とを有することを特徴とするウェブサーバ。
【請求項２】
上記画像ファイルは、各駒の画像を枠で囲んだのち順番に並べて構成した画像を含む請求項１記載のウェブサーバ。
【請求項３】
上記画像ファイルは、各駒の画像を枠で囲んだのち順番に並べて構成した画像に対して上記枠の間に余白を付加したものである請求項２記載のウェブサーバ。
【請求項４】
Ｎ駒（Ｎは２以上の整数）からなる漫画ごとに当該Ｎ駒の漫画を構成するすべての画像を一体にした画像ファイルを記憶する手段と、
上記画像ファイルのアドレスをアンカーとするマークアップ言語フォーマットの文書ファイルを記憶する手段と、
外部からの読み出し要求に応じて上記文書ファイルおよび上記画像ファイルを要求元に転送する手段とを有することを特徴とするウェブサーバ。
【請求項５】
請求項１〜４のいずれかに記載のウェブサーバと、
携帯電話機からの要求を上記ウェブサーバに伝送し、上記要求に基づいて上記ウェブサーバからの上記文書ファイルおよび上記画像ファイルを上記携帯電話機に伝送するパケット網とを有することを特徴とする通信システム。
【発明の詳細な説明】
【技術分野】
【０００１】
この発明は、いわゆる４駒漫画を表示する技術に関し、とくにウェブ閲覧機能付の携帯電話機に用いて最適なものである。
【背景技術】
【０００２】
ウェブ閲覧機能付の携帯電話機が広く普及しており、これを用いて種々のサービスを利用することが可能である。そのサービスの１つに４駒漫画講読サービスがある。４駒漫画は手軽なものであるため、少しの空き時間で閲覧することができ、また、比較的表示面積が小さな携帯電話機でも十分にその内容を楽しむことができる。
【０００３】
ところで、従来、携帯電話用に提供されている４駒漫画は、各駒の漫画が個別の画像ファイルとなっており、それぞれをストーリの順番で、画像貼り付けタグ（「＜ＩＭＧ」）を用いて文書中に埋め込んでいた。ブラウザは、文書をパーズして上から順番に画像ファイルの取得要求をサーバに送り各駒の画像ファイルを取得して表示する。しかしながら、通信経路やサーバの処理状況に応じて、順番に画像ファイルが携帯電話機に送られてくることが保証されないので、場合によっては、最後の駒の画像ファイルが一番先に到達して一番先に表示されてしまうことが起こる。例えば、図１に示すように、４駒漫画が４つの画像ファイル２ａ〜２ｄから成る場合、本来であれば、携帯電話機の表示画面１にまず画像ファイル２ａが表示され、この後、ユーザがスクロール操作して順次に画像ファイル２ｂ〜２ｄの内容を閲覧することとなる。しかしながら、例えば、一番先に画像ファイル２ｄが到来すると、図２に示すように、ストーリの「落ち」の部分が最初に表示されてしまい、４駒漫画の面白さが台無しになってしまう。そのあとに先に閲覧することが予定される画像ファイル２ａ等が到来して図３に示すようにその内容が表示されても、「落ち」を閲覧した後であるので面白みが半減してしまう。このように、従来では、４駒漫画の各駒の表示順序が保証されていなかったので、４駒漫画の醍醐味が損なわれることがあった。
【発明の開示】
【発明が解決しようとする課題】
【０００４】
この発明は、以上の事情を考慮してなされたものであり、４駒漫画の各駒が順番に表示されないことに起因する不具合を解消することを目的としている。
【課題を解決するための手段】
【０００５】
この発明によれば、上述の目的を達成するために、特許請求の範囲に記載のとおりの構成を採用している。ここでは、発明を詳細に説明するのに先だって、特許請求の範囲の記載について補充的に説明を行なっておく。
【０００６】
すなわち、この発明の一側面によれば、上述の目的を達成するために、ウェブサーバに：４駒漫画ストーリごとに当該４駒漫画ストーリを構成するすべての画像を一体にした画像ファイルを記憶する手段と；上記画像ファイルのアドレスをアンカーとするマークアップ言語フォーマットの文書ファイルを記憶する手段と；外部からの読み出し要求に応じて上記文書ファイルおよび上記画像ファイルを要求元に転送する手段とを設けるようにしている。
【０００７】
この構成においては、従来、個別のファイルとしていた各駒の画像ファイルを単一の画像ファイルにまとめているので、複数の画像ファイルのターンアラウンド時間の違いに起因する不都合を解消することができる。
【０００８】
なお、典型的には４駒であるが、場合によってはＮ駒（Ｎは２以上の整数）で漫画のストーリを構成しても良い。
【０００９】
なお、この発明は装置またはシステムとして実現できるのみでなく、方法としても実現可能である。また、そのような発明の一部をソフトウェアとして構成することができることはもちろんである。またそのようなソフトウェアをコンピュータに実行させるために用いるソフトウェア製品もこの発明の技術的な範囲に含まれることも当然である。
【００１０】
この発明の上述の側面および他の側面は特許請求の範囲に記載され以下実施例を用いて詳述される。
【発明の効果】
【００１１】
この発明によれば、４駒漫画を構成する各駒を１つの画像ファイルに統合しているので、従来のような各ファイルのターンアラウンド時間の違いによる不都合、例えば後の駒が先に表示されてしまうという不都合が解消される。
【発明を実施するための最良の形態】
【００１２】
以下、この発明の実施例について説明する。
【００１３】
図４は、この発明の実施例の通信システムを全体として示しており、この図において、ウェブ閲覧機能付の携帯電話機１０は、パケット網２０を介して移動体電話センタ３０に接続されている。なお、基地局や、移動体通信網は、図から省略した。移動体電話センタ３０には、ゲートウェイ３０１やウェブサーバ３０２等が配置されている。ゲートウェイ３０１は種々のフォーマット変換等を行なう。移動体電話センタ３０は移動体電話運営会社により運営されるものであり、メールサーバ等種々のサービスを提供するサーバが配置されるが、これらはこの発明と関係がないので図示していない。移動体電話センタ３０はインターネット４０に接続され、インターネット４０を介してインターネット上のウェブサーバ５０（１つしか示さないが当然多数ある）にも接続されている。ウェブ閲覧機能付きの携帯電話機１０は、移動体電話センタ３０のウェブサーバ３０２やインターネット４０上のウェブサーバ５０に閲覧要求を送り、その文書を閲覧することができる。
【００１４】
この実施例では、ウェブサーバ３０２、５０は４駒漫画講読サービスを提供するものであり、それぞれ記憶部３０２ａ、５０ａに文書ファイルＷＥＢおよび画像ファイルＩＭＧを記憶している。文書ファイルＷＥＢはそれぞれ伝送媒体に合致したフォーマットのものであり、この例では携帯電話用のタグマークアップ言語で記述されたものである。タグマークアップ言語はこれに限定されないが、例えば、ＸＭＬ、ＨＴＭＬ、ＣＨＴＭＬ、ＷＭＬ、ＭＭＬ、ＨＤＭＬ、ＢＭＬである。
【００１５】
文書ファイルＷＥＢは例えば図５に示すようなものであり、４駒漫画を構成する画像ファイル（「ｍａｎｇａ．ｇｉｆ」）は単一のものとなっている。なお、図５の例では他の画像ファイルを利用しないようになっているが、漫画を構成する部分以外にアイコン等の画像ファイルを用いても良いことはもちろんである。要するに４駒漫画を構成する部分の画像ファイルが１つであればよい。図５の例では、ヘッダー部分（＜ｈｅａｄ＞タグで指定）において、タイトルが「本日の４コマ−携帯４コマ．ｃｏｍ」であることが記述され、本体（＜ｂｏｄｙ＞タグで指定）において、「ｍａｎｇａ．ｇｉｆ」の画像ファイルを中央揃えではめ込み表示することが記述されている。
【００１６】
画像ファイルＩＭＧ（「ｍａｎｇａ．ｇｉｆ」）は図６に示すように、４駒漫画のすべての部分が１つの画像ファイルとなっている。破線は画像が一体のものであることを示す。この例では、各コマの画像部分が枠で囲まれ、これを積み上げることにより１つの画像を構成している。駒と駒の間には白い余白が設けられており、典型的な４駒漫画の体裁が採用されているが、このような体裁に限定されない。この例では、４駒分の画像が単一の画像ファイル（「ｍａｎｇａ．ｇｉｆ」）であり、従来のように各駒の画像が個別に伝送されることがないことに留意されたい。
【００１７】
この構成において、ユーザが携帯電話機１０を用いてＨＴＴＰプロトコルに準拠して文書ファイルＷＥＢのファイル取得要求（ＧＥＴメソッド）をウェブサーバ５０に送ると、ウェブサーバ５０は文書ファイルＷＥＢを携帯電話機１０に返す。なお、この例では、ウェブサーバ５０の記憶部５０ａに文書ファイルＷＥＢおよび画像ファイルＩＭＧが記憶されているものとする。なお、文書ファイルＷＥＢおよび画像ファイルＩＭＧ移動体電話センタ３０のウェブサーバ３０２の記憶部３０２ａに記憶されている場合も同様である。
【００１８】
携帯電話機１０は文書ファイルＷＥＢを受け取るとこれをパーズしてイメージタグ（＜ＩＭＧ＞）を検出して対応する画像ファイルＩＭＧの取得要求をウェブサーバ５０に送り、ウェブサーバ５０は画像ファイルＩＭＧを携帯電話機１０に返す。この結果、携帯電話機１０において、図７に示すような表示が行なわれる。画像ファイルＩＭＧは４駒分で一体であるので、すべての画像が同時に携帯電話機１０に伝送され、一番上の駒の部分が携帯電話機１０の表示画面１に表示され、そののちスクロールにより順次に表示させることができる。
【００１９】
この実施例では、４駒漫画の画像がすべて一体であるので、駒の伝送順番が齟齬することがなく、この結果、「落ち」に該当する部分が先に表示されることが回避され、その醍醐味を台無しにすることがない。
【００２０】
なお、この発明は上述の実施例に限定されるものではなくその趣旨を逸脱しない範囲で種々変更が可能である。例えば、上述の例では、携帯電話機を端末として使用したが、ウェブ閲覧機能があれば他の携帯端末を使用してもよく、また、固定端末を使用しても良い。また、上述の例ではいわゆる４駒漫画について説明したが、複数駒からなる漫画全般に適用可能なことはもちろんである。
【図面の簡単な説明】
【００２１】
【図１】従来の４駒漫画表示手法を説明する図である。
【図２】従来の４駒漫画表示手法において「落ち」の部分が先に表示される様子を説明する図である。
【図３】従来の４駒漫画表示手法において「落ち」の部分が先に表示されたのち先頭の駒が表示された様子を説明する図である。
【図４】この発明の実施例を全体として示す図である。
【図５】上述実施例の文書ファイルを説明する図である。
【図６】上述実施例の画像ファイルを説明する図である。
【図７】上述実施例による表示態様を説明する図である。
【符号の説明】
【００２２】
１      表示画面
２ａ、２ｂ、２ｃ、２ｄ      従来の４駒漫画の画像ファイル
２      この発明の実施例４駒漫画の画像ファイル
１０      携帯電話機
２０      パケット網
３０      移動体電話センタ
４０      インターネット
５０      ウェブサーバ
５０ａ      記憶部
３０１      ゲートウェイ
３０２      ウェブサーバ
３０２ａ            記憶部
ＩＭＧ      画像ファイル
ＷＥＢ      文書ファイル
【図４】
2005301380.tif 000003
【図５】
2005301380.tif 000004
【図１】
2005301380.tif 000005
【図２】
2005301380.tif 000006
【図３】
2005301380.tif 000007
【図６】
2005301380.tif 000008
【図７】
2005301380.tif 000009